(57)【要約】【課題】軸筒の後端に配設したノック部材を押圧せしめることで、前記筆記体の筆記先端部を、軸筒の先端開口部から選択的に出没可能な多芯筆記具において、同色を繰り返し使用する場合にもノック作動が容易な多芯筆記具を提供する。【解決手段】軸筒内に複数の筆記体を配設し、軸筒の後端に配設したノック部材を押圧せしめることで、ノック部材の押圧部又はノック部材に連動する押圧部材の押圧部が、軸筒の軸心に対し偏心した位置で、かつ複数の筆記体の一本だけ押圧し、前記筆記体の筆記先端部を、前記軸筒の先端開口部から出没可能な多芯筆記具であって、前記軸筒に、軸筒に対し回転可能なホルダー部材を配設するとともに、前記ホルダー部材の回転に伴なって前記筆記体も回転可能に配設する。【選択図】　　　図１
2004025780.tif 000002
【特許請求の範囲】
【請求項１】
軸筒内に複数の筆記体を配設し、軸筒の後端に配設したノック部材を押圧せしめることで、ノック部材の押圧部又はノック部材に連動する押圧部材の押圧部が、軸筒の軸心に対し偏心した位置で、かつ複数の筆記体の一本だけ押圧し、前記筆記体の筆記先端部を、前記軸筒の先端開口部から出没可能な多芯筆記具であって、前記軸筒に、軸筒に対し回転可能なホルダー部材を配設するとともに、前記ホルダー部材の回転に伴なって前記筆記体も回転可能に配設したことを特徴とする多芯筆記具。
【請求項２】
前記軸筒の先端開口部が、軸筒の軸心に対し偏心した位置に形成するとともに、前記軸筒の先端開口部、筆記体及びノック部材の押圧部又はノック部材に連動する押圧部材の押圧部を同一軸心上に配置したことを特徴とする請求項１に記載の多芯筆記具。
【請求項３】
前記筆記体が、低粘度の油性インキ又は剪断減粘性を付与したインキを収容したボールペン体であることを特徴とする請求項２に記載の多芯筆記具。
【発明の詳細な説明】
【０００１】
【発明の属する技術分野】
本発明は、軸筒内に、複数の筆記体を配設してなる多芯筆記具に関し、さらに詳しくは、前記軸筒の後端に配設したノック部材を押圧せしめることで、前記筆記体の筆記先端部を、前記軸筒の先端開口部から選択的に出没可能な多芯筆記具に関する。
【０００２】
【従来の技術】
従来から、軸筒内に複数の筆記体を配設し、軸筒の後端に配設したノック部材を押圧せしめることで、前記筆記体の筆記先端部を、軸筒の先端開口部から選択的に出没可能な多芯筆記具はよく知られている。
【０００３】
こうした多芯筆記具の出没機構は、筆記体を複数配設するため、筆記体は軸筒の軸心に対し偏心した位置に配設されているので、ノック部材に連動した振り子部材が、軸筒の回転に関係なく常に重力が加わる方向に位置し、該振り子に対向した位置に配設された筆記体を選択的に出没可能な振り子式の多芯筆記具や、実開昭６３−２５５８５号「複合筆記具」に開示されているように、回転カム機能によって、ノック部材に連動した押し部が回転し、軸筒の先端開口部から選択的に出没可能とするものであった。
【０００４】
【発明が解決しようとする課題】
しかし、前記従来の多芯筆記具は、例えば軸筒内に黒色、赤色等の２色の筆記体を配設した場合に、振り子式の多芯筆記具は、振り子に対向した位置の筆記体、例えば黒色の筆記体が出没した場合、同色を繰り返し使用する場合でも、黒色の筆記体が出没した位置（黒色の筆記体に振り子が位置する重力が加わる方向）に軸筒を設定する必要があった。また、回転カム機能によって、ノック部材に連動した押し部が回転し、軸筒の先端開口部から選択的に出没可能な多芯筆記具は、黒色の筆記体を出没させた後、再度黒の黒色の筆記体を突出状態にするには、一度赤色の筆記体を出没させる必要があった。
【０００５】
本発明者は上記問題を鑑み、軸筒の後端に配設したノック部材を押圧せしめることで、前記筆記体の筆記先端部を、軸筒の先端開口部から選択的に出没可能な多芯筆記具において、同色を繰り返し使用する場合にもノック作動が容易な多芯筆記具を提供することを目的とするものである。
【０００６】
【課題を解決するための手段】
本発明は、軸筒内に複数の筆記体を配設し、軸筒の後端に配設したノック部材を押圧せしめることで、ノック部材の押圧部又はノック部材に連動する押圧部材の押圧部が、軸筒の軸心に対し偏心した位置で、かつ複数の筆記体の一本だけ押圧し、前記筆記体の筆記先端部を、前記軸筒の先端開口部から出没可能な多芯筆記具であって、前記軸筒に、軸筒に対し回転可能なホルダー部材を配設するとともに、前記ホルダー部材の回転に伴なって前記筆記体も回転可能に配設するものである。
【０００７】
また、前記軸筒の先端開口部が、軸筒の軸心に対し偏心した位置に形成するとともに、前記軸筒の先端開口部、筆記体及びノック部材の押圧部又はノック部材に連動する押圧部材の押圧部を同一軸心上に配置するものである。
【０００８】
さらに、前記筆記体が、低粘度の油性インキ又は剪断減粘性を付与したインキを収容したボールペン体であることを特徴とする。
【０００９】
【発明の実施の形態】
本発明の実施の形態を、図面を用いて説明する。
本発明の多芯筆記具１は、前軸２の後端部に後軸３を螺着して軸筒を構成し、この後軸３内に、ホルダー部材４を、ホルダー部材４に形成した係合突起４ａと後軸３内に形成した係合突起３ｂの乗り越し嵌合により、後軸３に対してホルダー部材４を回転可能に配設するとともに、後軸３にホルダー部材４を回転（図５の矢印Ｆ又はＭ方向）するための窓部５を形成する。また、前軸２の把持部にはグリップ部材１９を装着してある。
【００１０】
軸筒内およびホルダー部材４内に、ホルダー部材４に付設した位置出し部材１８の位置出し孔１８ａを通過するように、インキ色が黒色の筆記体１０（ボールペン体）とインキ色が赤色の筆記体１３（ボールペン体）を、弾発部材１６、１７により後軸３の後端部３ａ方向に付勢させ収納する。筆記体体１０は、インキ収容筒内に剪断減粘性を付与した黒色のインキ（図示せず）とインキの後端に、インキの消費に伴なって追従するインキ追従体（図示せず）を収容し、インキ収容筒の先端に、ボールを回転自在に抱持した筆記先端部１１（ボールペンチップ）を圧入装着した構造てある。筆記体１３はインキ色が赤色以外は筆記体１０と同様に、インキ収容筒内に剪断減粘性を付与した赤色のインキ（図示せず）とインキの後端に、インキの消費に伴なって追従するインキ追従体（図示せず）を収容し、インキ収容筒の先端に、ボールを回転自在に抱持した筆記先端部１４（ボールペンチップ）を圧入装着した構造である。
【００１１】
筆記体１０を使用するには、先ず、ホルダー部材４を窓部５から回転（図５の矢印Ｆ又はＭ方向）させ、後軸３の外周面に表示した矢印２０とホルダー部材５に表示した黒色（ＢＬＡＣＫ）の矢印２２を一致させる。この時、押圧部材８の押圧部８ａは筆記体１０の後端部に位置する。次に、コイルスプリング９によって後軸３の後端３ａ方向に付勢したノック部材６を前軸の先端開口部２ａ方向に押圧せしめることで、ノック部材６に連動した回転カム７がカム溝（図示せず）に沿って回転しながら前方向に作動し、回転カム７の前後方向の作動のみに連動する押圧部材８の押圧部８ａが、筆記体１０の後端部に付設した被押圧部材１２を押圧し、筆記体１０の筆記先端部１１を先端開口部２ａから突出させる。図示はしていないが、押圧部材８は、押圧部材８の突部８ｂが、後軸３内に形成した突部３ｃによって形成される溝３ｄに、軸心方向に摺動可能に遊嵌されている。
【００１２】
その後、筆記体１３を使用するには、再度ノック部材６を先端開口部２ａ方向に押圧せしめ、回転カム７の作用により筆記体１０の筆記先端部１１を先端開口部２ａから没入させ、次に、ホルダー部材４を回転（図５の矢印Ｆ又はＭ方向）させ、後軸３の外周面に表示した矢印２０とホルダー部材に表示した赤色の矢印（図示せず）を一致させる。この時、ホルダー部材４の回転に伴なって筆記体１０、１３も回転し、筆記体１３の後端部に押圧部材８の押圧部８ａが位置している。次に、ノック部材６を先端開口部２ａ方向に押圧することにより、押圧部材８の押圧部８ａが筆記体１３の後端部に付設した被押圧部材１５を押圧し、筆記先端部１４を突出させて使用することができる。
【００１３】
また、一度筆記体１３の筆記先端部１４を先端開口部２ａから没入させても同色（赤色）を繰り返し使用する場合には、そのままノック部材６を軸筒先端開口部２ａ方向に押圧すればよく、図示はしていないが、後軸３にクリップ部材が一体に形成又は付設している場合でも、筆記時の軸筒の回転位置（重力が加わる位置）に関係なく同色（赤色）を繰り返し使用することができる。
【００１４】
本実施の形態では、ホルダー部材４に形成した係合突起４ａと後軸３内に形成した係合突起３ｂの乗り越し嵌合により、後軸３に対しホルダー部材４を回転可能に配設しているが、配設方法は特に限定されるものでない。また、筆記体１０、１３が、ホルダー部材４に付設した位置出し部材１８の位置出し孔１８ａを通過することにより、ホルダー部材４の回転に伴なって筆記体１０、１３を回転可能に配設しているが、ホルダー部材４の回転に伴なって筆記体１０、１３も回転する構造であれば、筆記体１０、１３の配設方法は特に限定されない。
【００１５】
また、図１に示すように、前軸２の先端開口部２ａを軸筒の軸心Ｊに対し偏心した位置で、かつ前軸２の先端開口部２ａ、筆記体１０及び押圧部材８の押圧部８ａを、同一軸心Ｋ上に位置するように配置することによって、筆記体１０の筆記先端部１１が傾くことなく、軸心Ｋに沿って出没するので、筆記先端部１１が前軸２の内壁に接触せず、、前軸２の内壁面を汚すことがなく好ましい。特に筆記体が低粘度の油性インキや剪断減粘性を付与したインキを収容したボールペン体の場合には、軸筒内壁面を汚し易いので特に効果が顕著である。さらに、筆記体１０の筆記先端部１１が傾くことなく、軸心Ｋに沿って出没することによって、複数の筆記体１０、１３が干渉することがないので好ましい。
【００１６】
尚、本実施の形態では便宜上、回転カムによる出没機構を用いているが、軸筒後端部のノック部材を押圧せしめることで、前記筆記体の筆記先端部を、前軸の先端開口部から選択的に出没可能であれば特に限定されるものでない。
【００１７】
また、本発明の多芯筆記具に用いる筆記体は、ボールペン体やシャープペンシル体等、特に限定されるものではなく、さらに、前述した実施の形態のボールペン体が２本の多芯筆記具に限定されるものではなく、ボールペン体を３本や４本、シャープペンシルとボールペン、あるいはシャープペンシル３本など、一般に知られている多芯筆記具に用いることができる。
【００１８】
【発明の効果】
本発明は、前述したような構成なので、同色を繰り返し使用する場合にもノック作動が容易な多芯筆記具を提供することができた。
【図面の簡単な説明】
【図１】本発明の実施の形態における多芯筆記具を示す縦断面図である。
【図２】図１における筆記体を突出した状態を示す縦断面図である。
【図３】本発明の実施の形態における多芯筆記具を示す外観図である。
【図４】図１における一部を省略した要部拡大断面図である。
【図５】図１におけるＡ−Ａ拡大断面図である。
【図６】図１におけるＢ−Ｂ拡大断面図である。
【符号の説明】
１　多芯筆記具
２　前軸
２ａ　先端開口部
３　後軸
３ａ　後端部
３ｂ　係合突起
４　ホルダー部材
４ａ　係合突起
５　窓部
６　ノック部材
７　回転カム
８　押圧部材
８ａ　押圧部
９　コイルスプリング
１０、１３　筆記体
１１、１４　筆記先端部
１２、１５　被押圧部材
１６、１７　コイルスプリング
１８　位置出し部材
１９　グリップ部材
２０　軸筒の表示部
２１　ホルダーの表示部
Ｊ　軸筒の軸心
Ｋ　軸心
【図１】
2004025780.tif 000003
【図２】
2004025780.tif 000004
【図３】
2004025780.tif 000005
【図４】
2004025780.tif 000006
【図５】
2004025780.tif 000007
【図６】
2004025780.tif 000008